(57)【要約】【課題】簡単な構成で安価であり、楽に消防ホースを移動させることが可能で使い勝手のよい消防ホース移動補助具を提供する。【解決手段】ヒンジ２２で開閉自在に連結された２つの半円状のバンド２０ａ、２０ｂと前記２つのバンド２０ａ、２０ｂをワンタッチで閉じるように連結する連結具２４を有するバンド本体１２と、前記バンド本体１２に設けられたロープ１８を掛止可能なロープ被掛止具１４と、前記ロープ被掛止具１４と対向する位置の前記バンド本体１２に取付けられたキャスタ１６と、を含み、前記バンド本体１２は、２つのバンド２０ａ、２０ｂが形成する円の内径が通水中の消防ホース１の外径よりもわずかに小さく、前記バンド本体１２を消防ホース１を覆うように装着し消防ホース１に通水すると２つのバンド２０ａ、２０ｂが自然に消防ホース１に密着固定される自緊式のバンド本体１２である。【選択図】図１
2011139848.tif 000002
【特許請求の範囲】
【請求項１】
通水中の消防ホースの移動を容易ならしめる消防ホース移動補助具であって、
２つの半円状のバンド、前記２つのバンドを開閉自在に連結するヒンジ、前記２つのバンドをワンタッチで閉じるように連結する連結具を有するバンド本体と、
前記バンド本体に突出するように設けられたロープを掛止可能なロープ被掛止具と、
前記ロープ被掛止具と対向する位置の前記バンド本体に取付けられたキャスタと、を含み、
前記バンド本体は、２つのバンドが形成する円の内径が通水中の消防ホースの外径よりもわずかに小さく、前記バンド本体を消防ホースを覆うように装着し消防ホースに通水すると２つのバンドが自然に消防ホースに密着固定される自緊式のバンド本体であることを特徴とする消防ホース移動補助具。
【請求項２】
さらに前記ロープ被掛止具にワンタッチで掛止可能な掛止具を有するロープを含むことを特徴とする請求項１に記載の消防ホース移動補助具。
【発明の詳細な説明】
【技術分野】
【０００１】
本発明は、通水中の消防ホースの移動を容易ならしめる消防ホース移動補助具に関する。
【背景技術】
【０００２】
発電所では、火災が発生した場合の対応マニュアルが定められており、実際に火災が発生した場合には、マニュアルに定められた手順、体制に基づき、消火活動、消防署への通報が行われる。近年、発電所では設備の合理化、運転の自動化が積極的に進められ、従来に比べ作業員、運転員の数は、非常に少なくなっている。このため消火活動も最低限の人数で行わざるを得ないのが実情である。消火活動時には消防ホースを移動させることも必要となるが、少ない人数で消火活動を行いながら、重い消防ホースを移動させることは容易ではない。
【０００３】
これに対しては、バンドの外周に均等にボール状のキャスタを取付け、このバンドを消防ホースの外周を覆うように装着し使用する消防用ホースキャスタが提案されている。この消防用ホースキャスタは、ボール状のキャスタが地面に接地するので、消防ホースの移動が楽になるとある（例えば特許文献１参照）。
【先行技術文献】
【特許文献】
【０００４】
【特許文献１】実開平５−６８５５７号公報
【発明の概要】
【発明が解決しようとする課題】
【０００５】
特許文献１に記載の消防用ホースキャスタは、キャスタが地面に接地するので消防ホースの移動が楽になるとあるが、消防用ホースキャスタを１つ装着したとしても大部分の消防ホースは依然として接地した状態であり、しかも消防ホースを移動させるためには、消防用ホースキャスタ付近の消防ホースを消防員が抱えるようにして移動させる必要があり、消防ホースの移動が容易とは言い難い。消防ホースに消防用ホースキャスタを複数個装着し、消防ホース全体が地面から浮き上がるか又はこれに近い状態とすると、通水中の消防ホースであってもわずかな力で消防ホースを移動させることが可能と思われる。しかしながらこの状態では意に反して消防ホースが移動する恐れがあり安全上問題がある。また、特許文献１に記載の消防用ホースキャスタは、バンドの全周にキャスタを取付けているが、使用の際に接地するキャスタは１つか２つであり大半のキャスタは使用されておらず効率的とは言い難く、また製造コストが高くなる。上記のように既に提案されている消防ホースの移動を補助する装置も完全とは言い難くさらなる改良が必要である。
【０００６】
本発明の目的は、簡単な構成で安価であり、楽に消防ホースを移動させることが可能で使い勝手のよい消防ホース移動補助具を提供することである。
【課題を解決するための手段】
【０００７】
本発明は、通水中の消防ホースの移動を容易ならしめる消防ホース移動補助具であって、２つの半円状のバンド、前記２つのバンドを開閉自在に連結するヒンジ、前記２つのバンドをワンタッチで閉じるように連結する連結具を有するバンド本体と、前記バンド本体に突出するように設けられたロープを掛止可能なロープ被掛止具と、前記ロープ被掛止具と対向する位置の前記バンド本体に取付けられたキャスタと、を含み、前記バンド本体は、２つのバンドが形成する円の内径が通水中の消防ホースの外径よりもわずかに小さく、前記バンド本体を消防ホースを覆うように装着し消防ホースに通水すると２つのバンドが自然に消防ホースに密着固定される自緊式のバンド本体であることを特徴とする消防ホース移動補助具である。
【０００８】
また本発明は、前記消防ホース移動補助具において、さらに前記ロープ被掛止具にワンタッチで掛止可能な掛止具を有するロープを含むことを特徴とする。
【発明の効果】
【０００９】
本発明に係る消防ホース移動補助具は、消防ホースを抱えて移動させるのではなく、ロープを引っ張って消防ホースを移動させるので、通水中の消防ホースであっても楽に移動させることができる。また、ロープ掛止位置とキャスタとの位置が対向する位置にあるので、ロープを引っ張るとキャスタは自然と地面に接地する位置となる。このためキャスタの数が少なくても、消防ホースの移動を楽に行うことができる。また必ずキャスタがある位置の消防ホースが中心となり移動するので、キャスタがある位置まで人が移動して消防ホースを移動させる必要がなく使い勝手がよい。またバンド本体、ロープはワンタッチで装着可能なため簡単、迅速に装着でき使い勝手がよい。さらに構造が簡単であり安価に製造することができる。
【図面の簡単な説明】
【００１０】
【図１】本発明の実施の一形態としての消防ホース移動補助具１０の斜視図である。
【図２】図１の消防ホース移動補助具１０の使用例を示す図である。
【発明を実施するための形態】
【００１１】
図１は、本発明の実施の一形態としての消防ホース移動補助具１０の斜視図である。図２は、消防ホース移動補助具１０の使用例を示す図である。消防ホース移動補助具１０は、消防ホース１の移動を容易ならしめる補助具であって、消防ホース１の外周３を覆うように取付け使用する。消防ホース移動補助具１０は、消防ホース１の外周３を覆うように取付けるバンド本体１２と、バンド本体１２に設けられたロープを掛止するためのロープ被掛止具１４と、バンド本体１２のロープ被掛止具１４と対向する位置に取付けられたキャスタ１６と、さらにロープ被掛止具１４に掛止するロープ１８とを含む。
【００１２】
バンド本体１２は、半円状の２つのバンド２０ａ、２０ｂと、バンド２０ａ、２０ｂの一端部に設けられた２つのバンド２０ａ、２０ｂを開閉自在に連結するヒンジ２２と、バンド２０ａ、２０ｂの他端部に設けられた２つのバンド２０ａ、２０ｂを閉じるように連結する連結具２４とを含む。
【００１３】
２つのバンド２０ａ、２０ｂは、金属板の内側にゴム板が接着され、消防ホース１にはゴム板が接触する。これにより消防ホース１の破損を防止する。半円状の２つのバンド２０ａ、２０ｂが合わさると円が形成され、形成される円の内径は、消防ホース通水時の消防ホース１の外径よりも僅かに小さい。
【００１４】
連結具２４は、掛止具２６とこれを受ける被掛止具２８とからなる。掛止具２６は、支持ピン３０を回動自在に支持する支持台３２がバンド２０ａの端部に取付けられ、この支持ピン３０にボルト３４が直交するよう取付けられ、このボルト３４のネジ部に蝶ナット３６を螺合し構成されている。被掛止具２８は、ボルト３４が嵌り込む溝（図示省略）が設けられた支持台４０からなり、この支持台４０がバンド２０ｂの端部に取付けられている。このような連結具２４は、２つのバンド２０ａ、２０ｂが閉じるように端部を接触させ、ボルト３４を回動させ被掛止具２８の溝に嵌め入れると、ボルト３４に螺合した蝶ナット３６が支持台４０に引っ掛かり２つのバンド２０ａ、２０ｂは固定される。ボルト３４は穴ではなく溝に嵌め入れるので、蝶ナット３６を螺合した状態で溝に嵌め入れることができる。このため蝶ナット３６の位置を予め所定の位置にセットしておけば、後から蝶ナット３６を締める必要がなく、２つのバンド２０ａ、２０ｂをワンタッチで連結することができる。
【００１５】
上記バンド本体１２を通水時前の消防ホース１を覆うように装着し、消防ホース１に通水すると、２つのバンド２０ａ、２０ｂが形成する円の内径が通水時の消防ホース１の外径よりも小さいので、バンド本体１２は消防ホース１により外に押し広げられる。これにより後に連結具２４を締めなくてもバンド本体１２は、自然に消防ホース１に密着固定される。このようにバンド本体１２を自緊式構造することで、装着をワンタッチで行うことができる。消防活動においては、迅速な対応が求められるので、自緊式構造からなるバンド本体１２は好ましい。
【００１６】
連結具２４の構成、構造は、ツメ、フックを溝に引っ掛けるものであってもよい。本実施形態に示す連結具２４も、大略的にはツメを溝に引っ掛ける構造と言えるが、本実施形態に示す連結具２４は、ボルト３４に蝶ナット３６が螺合する構造からなるので、消防ホース１に通水した後、バンド本体１２を消防ホース１に装着し、後から蝶ナット３６を締め込みバンド本体１２を消防ホース１に固定することもできるので使い勝手がよい。蝶ナット３６に代え、汎用の六角ナットを使用してもよいことはもちろんであるが、蝶ナット３６を用いれば工具がなくても締め込むことができるので使い勝手がよい。
【００１７】
ロープ被掛止具１４は、板状の部材からなり、バンド２０ｂの中央部にバンド２０ｂから突出するように設けられている。ロープ被掛止具１４には、ロープ１８に設けられた掛止具が掛止するための孔４２が穿設されている。ロープ被掛止具１４は、本実施形態に示す板状の被掛止具に限定されるものではなく、アイボルト状の被掛止具、吊り環状の被掛止具であってもよい。
【００１８】
キャスタ１６（１６ａ、１６ｂ、１６ｃ）は、ロープ被掛止具１４と対向する位置に３個取付けられ、消防ホース１に消防ホース移動補助具１０を装着したとき地面に接地し、接地抵抗を小さくする役目を果たす。キャスタ１６は、３６０°回転自在に支持されたボールを有するキャスタであり、中心に位置するキャスタ１６ａは、消防ホース１に消防ホース移動補助具１０を装着したとき、ロープ被掛止具１４に対して１８０°の位置に、左右のキャスタ１６ｂ、１６ｃは、ロープ被掛止具１４に対して１２０〜１５０°の位置、２１０〜２４０°の位置に取付けられている。消防ホース移動補助具１０は、ロープ被掛止具１４に掛止したロープ１８を引っ張り消防ホース１を移動させるため、ロープ被掛止具１４回りにはキャスタは必要ない。ロープ１８を引っ張り消防ホース１を移動させることを考えれば、キャスタはロープ１８と対向する位置に１つだけ設けてもよいが、斜め方向から引っ張られる場合もあることを考えれば、本実施形態に示すように３個程度設けることが好ましく、左右のキャスタ１６ｂ、１６ｃは、ロープ被掛止具１４に対して１２０°、２４０°の位置が好ましい。キャスタ１６は、３６０°回転自在なキャスタが好ましく、このようなキャスタであれば、本実施形態に示すキャスタでなくてもよい。
【００１９】
ロープ１８は、一端にロープ被掛止具１４に掛止するヨットナスカン４４を備える。ロープ自身は、消防ホース１を移動可能な強度を有し、すべりにくいロープであればよい。公知のようにヨットナスカン４４は、ロープ被掛止具１４に穿設された孔４２にワンタッチで掛止できる掛止具である。消防活動を考えれば、掛止具はワンタッチで掛止可能な掛止具が好ましく、さらに容易に外れない掛止具が好ましく、ヨットナスカン以外に網ナスカンなどを好適に使用することができる。
【００２０】
次に、消防ホース移動補助具１０の使用例を示す。消防ホース１が伸ばされ、通水前の扁平状態の消防ホース１に対し、ロープ被掛止具１４を上にしてバンド本体１２を消防ホース１に装着する。さらにロープ被掛止具１４にロープ１８を掛止し、ロープ１８の他端を放水ノズル５端部近傍に固縛する。消防ホース１に通水されると、バンド本体１２が消防ホース１にしっかりと固定される。放水ノズル５を持つ消防員は、必要に応じてロープ１８を引っ張り消防ホース１を移動させる。消防ホース１の移動は主に、放水の方向を変更するとき、放水の位置を変更するときに行うものであるから、消防ホース移動補助具１０の装着位置も放水ノズル５から比較的近い位置でよい。なお、１つの消防ホース移動補助具１０を装着し、ロープ１８を引っ張ると消防ホース１が折れ曲がる心配があれば、少しの距離を開けてもう１つ消防ホース移動補助具１０を装着し、２本のロープ１８を同時に引っ張り消防ホース１を移動させればよい。
【００２１】
上記実施形態で示すように本発明に係る消防ホース移動補助具は、消防ホース自身を抱えて移動させる必要はなく、ロープを引っ張って消防ホースを移動させるので、通水中の消防ホースであっても楽に移動させることができる。また、ロープを引っ張り消防ホースを移動させるので、キャスタがある位置の消防ホースが中心となり移動し、キャスタがある位置付近まで人が移動して消防ホースを移動させる必要がなく使い易い。これらのことから消防ホースに装着する消防ホース移動補助具の数も比較的少なく済む。また消防ホース移動補助具は、構成も簡便であり、キャスタの数も少なく安価に製造することができる。また装着の他、取外しも簡単であり、小型であるので消火現場への持ち込み、収納も容易である。
【符号の説明】
【００２２】
１  消防ホース
３  消防ホースの外周
１０  消防ホース移動補助具
１２  バンド本体
１４  ロープ被掛止具
１６  キャスタ
１８  ロープ
２０ａ、２０ｂ  バンド
２２  ヒンジ
２４  連結具
４４  ヨットナスカン
【図１】
2011139848.tif 000003
【図２】
2011139848.tif 000004